(57)【特許請求の範囲】
【請求項１】
遊技機に固定されるベース部材と、
該ベース部材に重合され、該ベース部材との間に所定の収納空間を形成するカバー部材と、
を備え、
前記ベース部材の周端縁には、前記カバー部材との重合方向に延設されたベース側壁部が設けられ、
前記カバー部材の周端縁には、前記ベース部材との重合方向に延設され、前記ベース側壁部と少なくとも部分的にオーバラップするカバー側壁部が設けられ、
前記ベース側壁部における前記カバー側壁部側に部分的に設けられた第１係合部を、前記カバー側壁部における前記ベース側壁部側に部分的に設けられた第２係合部に係合することにより、前記カバー部材が前記ベース部材に支持され、
前記カバー部材を前記ベース部材に重合させた状態で、所定の固定部材により前記ベース部材に固定することにより、遊技機を制御する電子部品が実装された回路基板を、前記収納空間に封止する遊技機の基板ケースであって、
前記カバー部材及び前記ベース部材の少なくとも一方には、前記第１係合部と前記第２係合部との係合が解除される方向に、該第１係合部又は該第２係合部が変形及び／又は変動することを防止する係合部変動防止手段が設けられており、
前記係合部変動防止手段は、前記ベース側壁部又は前記カバー側壁部を、前記第２係合部又は前記第１係合部とは反対側で係止することを特徴とする遊技機の基板ケース。
【請求項２】
前記カバー部材は、前記第１係合部を前記カバー側壁部に沿ってスライドさせ、第２係合部に係合させることにより、前記ベース部材に支持されることを特徴とする請求項１記載の遊技機の基板ケース。
【請求項３】
前記係合部変動防止手段は、少なくとも前記第２係合部又は前記第１係合部に対向する位置に設けられていることを特徴とする請求項１又は２記載の遊技機の基板ケース。
【請求項４】
前記係合部変動防止手段が、前記カバー部材及び前記ベース部材の一方に設けられる場合に、
該係合部変動防止手段が、前記ベース側壁部又は前記カバー側壁部に平行に延設され、前記カバー部材がスライドする際に、該ベース側壁部又は該カバー側壁部をガイドすることを特徴とする請求項１〜３のいずれかに記載の遊技機の基板ケース。
【請求項５】
前記係合部変動防止手段が、前記カバー部材及び前記ベース部材の双方に設けられ、
該係合部変動防止手段の少なくとも一方が、前記ベース側壁部又は前記カバー側壁部に平行に延設され、前記カバー部材がスライドする際に、該ベース側壁部又は該カバー側壁部をガイドすることを特徴とする請求項１〜３のいずれかに記載の遊技機の基板ケース。
【請求項６】
前記カバー部材には、前記カバー側壁部の外方に連設され、前記第１係合部及び前記第２係合部を外方から被覆する被覆部が設けられたことを特徴とする請求項１〜５のいずれかに記載の遊技機の基板ケース。
【請求項７】
前記被覆部は、前記ベース部材との重合方向に延びると共に、前記ベース側壁部に平行に延設された前記係合部変動防止手段を兼ねる被ガイド部を有し、
前記カバー部材がスライドする際に、該被ガイド部が前記ベース側壁部にガイドされることを特徴とする請求項６記載の遊技機の基板ケース。
【発明の詳細な説明】
【０００１】
【発明の属する技術分野】
本発明は、遊技機を制御する電子部品が実装された回路基板を収納するための基板ケースに関する。
【０００２】
【従来の技術】
従来、パチンコ機等の遊技機においては、その盤面の裏面側に、遊技の制御を行なう回路基板を収容した基板ケースが設置されている。例えばパチンコ機の場合、回路基板には遊技制御を行なう主制御装置や球払出装置を制御する払出制御装置等の制御回路をなすＩＣや抵抗等の各種電子部品が実装されており、基板ケースはこの回路基板を外部から保護する役割をしている。具体的には、この基板ケースは、パチンコ機に固定されるベース部材とこのベース部材に組み付けられるカバー部材とから構成され、回路基板はこれらベース部材とカバー部材との間に形成される収納空間に収容される。
【０００３】
【発明が解決しようとする課題】
しかしながら、近年、ベース部材とカバー部材との接続部分に生じる隙間に特殊な工具等を挿入してこれをこじ開け、そこからＲＯＭの交換を行う等の不正行為が想定されるようになってきた。
【０００４】
すなわち、従来の基板ケースにおいては、例えば図８（ａ）に示すように、ベース部材１１０側にはカバー部材１２０側に延出した複数のベース係合部１１１が、カバー部材１２０側にはベース部材１１０側に延出した複数のカバー係合部１２１が、それぞれ設けられていた。そして、カバー部材１２０をベース部材１１０に組み付ける際には、カバー係合部１２１を隣接するベース係合部１１１、１１１の間に配置した状態でカバー部材１２０とベース部材１１０とを当接させ、図８（ｂ）のように両係合部１１１、１２１を係合することにより固定していた。  しかし、図８（ｃ）に図８（ｂ）のＤ−Ｄ断面を示すように、図中Ｅ方向から外力を加えると、カバー部材１２０及びベース部材１１０の側壁部が図中二点鎖線に示したように弾性変形し、カバー部材１２０とベース部材１１０との係合状態が、場合によっては解除されてしまうことも考えられる。例えばこの場合、ベース部材１１０とカバー部材１２０との接合部分に生じる隙間に工具を挿入してこれをこじ開ける者がいた場合、正規の手順に従わずＲＯＭの交換等を行ってしまうかもしれない。そしてその後、挿入した工具を抜いて元通りにすればＲＯＭ交換の痕跡を発見するのは極めて困難である。
【０００５】
本発明は、かかる問題に鑑みてなされたものであり、回路基板を実装した基板に対し、不正行為が行われることを有効に防止するための基板ケースの封止構造を提供することを目的とする。
【０００６】
【課題を解決するための手段及び発明の効果】
上記課題に鑑み、請求項１に記載の基板ケースは、
遊技機に固定されるベース部材と、
該ベース部材に重合され、該ベース部材との間に所定の収納空間を形成するカバー部材と、
を備え、
前記ベース部材の周端縁には、前記カバー部材との重合方向に延設されたベース側壁部が設けられ、
前記カバー部材の周端縁には、前記ベース部材との重合方向に延設され、前記ベース側壁部と少なくとも部分的にオーバラップするカバー側壁部が設けられ、
前記ベース側壁部における前記カバー側壁部側に部分的に設けられた第１係合部を、前記カバー側壁部における前記ベース側壁部側に部分的に設けられた第２係合部に係合することにより、前記カバー部材が前記ベース部材に支持され、
前記カバー部材を前記ベース部材に重合させた状態で、所定の固定部材により前記ベース部材に固定することにより、遊技機を制御する電子部品が実装された回路基板を、前記収納空間に封止する遊技機の基板ケースであって、
前記カバー部材及び前記ベース部材の少なくとも一方には、前記第１係合部と前記第２係合部との係合が解除される方向に、該第１係合部又は該第２係合部が変形及び／又は変動することを防止する係合部変動防止手段が設けられており、
前記係合部変動防止手段は、前記ベース側壁部又は前記カバー側壁部を、前記第２係合部又は前記第１係合部とは反対側で係止することを特徴とする。
【０００７】
このように、係合部変動防止手段が、カバー部材及びベース部材の少なくとも一方に取り付けられていることにより、第１係合部と第２係合部との係合が解除される方向に変形及び／又は変動することを有効に防止することができ、不正に回路基板を交換されることがなくなる。
【０００８】
そして、この基板ケースの具体的構成としては種々考えられるが、例えば請求項２に記載のように、第１係合部をカバー側壁部に沿ってスライドさせ、第２係合部に係合させることにより、カバー部材がベース部材に支持される構成が考えられる。
【０００９】
また、上記係合部変動防止手段は、ベース側壁部又はカバー側壁部を、第２係合部又は第１係合部とは反対側で係止するように構成する。
かかる基板ケースによれば、例えば上記係合部変動防止手段がカバー部材側に設けられた場合には、カバー部材の第２係合部と当該係合部変動防止手段とによりカバー部材とベース部材とが固定されることになる。このため、上述した従来例のように外方からカバー部材を押し込むような力が加えられたとしても、ベース側壁部が当該係合部変動防止手段に当接してカバー部材の弾性変形を阻止するため、第三者が基板ケースをこじ開ける等の不正行為を有効に防止することができる。
【００１０】
また、上記係合部変動防止手段がベース部材側に設けられた場合には、ベース部材の第１係合部と当該係合部変動防止手段とによりカバー側壁部を挟持する態様で、カバー部材とベース部材とが固定されることになる。このため、この場合も、外方からカバー部材を押し込むような力が加えられたとしても、当該係合部変動防止手段がカバー側壁部に当接してカバー部材の弾性変形を阻止するため、第三者が基板ケースをこじ開ける等の不正行為を有効に防止することができる。
【００１１】
このように、カバー部材及びベース部材の一方に係合部変動防止手段を設けるだけでも、第三者の不正行為を有効に防止することができるのであるが、カバー部材及びベース部材の双方に当該係合部変動防止手段を設ければ、より強固にカバー部材が固定されるので好ましい。
【００１２】
また、このような係合部変動防止手段は、上述のようにベース側壁部又はカバー側壁部に対して、第２係合部又は第１係合部とは反対側に設けられれば、たとえ第２係合部又は第１係合部とずれた位置にあっても上記効果を奏するのであるが、請求項３に記載のように、当該係合部変動防止手段が少なくとも第２係合部又は第１係合部に対向する位置に設けられていることがより好ましい。
【００１３】
第三者が基板ケースを開封する場合には、カバー部材とベース部材との係合部の係合状態を解除すべく、これら第１係合部及び第２係合部の近傍に押圧力を付与すると考えられるため、直接外力が加わるこれら第１係合部及び第２係合部の位置に当該係合部変動防止手段を配設することが好ましいからである。
【００１４】
そして、上記係合部変動防止手段がカバー部材及びベース部材の一方に設けられる場合には、請求項４に記載のように、当該係合部変動防止手段をベース側壁部又はカバー側壁部に平行に延設し、カバー部材がスライドする際にベース側壁部又はカバー側壁部をガイドするように構成するのが好ましい。
【００１５】
このように当該係合部変動防止手段にガイド機能を兼用させることにより、カバー部材をベース部材に対して円滑にスライドさせ、所定の係合状態にさせることができるからである。
一方、同様の観点から、請求項５に記載のように、当該係合部変動防止手段がカバー部材及びベース部材の双方に設けられ、当該係合部変動防止手段の少なくとも一方が、ベース側壁部又はカバー側壁部に平行に延設され、カバー部材がスライドする際に、ベース側壁部又はカバー側壁部をガイドするように構成されているとよい。
【００１６】
尚、この場合、双方の係合部変動防止手段がベース側壁部及びカバー側壁部に平行に延設されていると、さらに安定にカバー部材をガイドすることができる。
また、請求項６に記載のように、カバー部材に、カバー側壁部の外方に連設され、第１係合部及び第２係合部を外方から被覆する被覆部が設けられていると、これら両係合部に塵埃等がつまってカバー部材とベース部材との組み付けに支障をきたす等の問題が生じることもない。このため、基板の点検のための基板ケースの開封間隔が長くなっても、基板ケースをスムーズに開封又は封止することができる。また、このように被覆部を設けることにより、側圧による変形／変動箇所が被覆されるため、より効率的に変形／変動を防止することができる。
【００１７】
そして、この場合には、請求項７に記載のように、当該被覆部が、ベース部材との重合方向に延びると共に、ベース側壁部に平行に延設された上記係合部変動防止手段を兼ねる被ガイド部を有し、カバー部材がスライドする際に、この被ガイド部がベース側壁部にガイドされるように構成されているとさらに好ましい。
【００１８】
かかる構成によれば、上述した請求項４又は請求項５と同様の効果を奏することができ、またカバー部材の構成上合理的であるからである。
【００１９】
【発明の実施の形態】
以下、本発明の好適な実施例を図面に基づいて説明する。図１は本実施例にかかる遊技機の基板ケース（以下、単に「基板ケース」という）の斜視図であり、図２は当該基板ケースの分解斜視図である。尚、当該基板ケースは、図示しないパチンコ機の盤面の裏側略中央に取り付けられ、画像制御基板や賞球制御基板等とコネクタを介して結線されるものである。
【００２０】
図１に示すように、基板ケース１は、パチンコ機に直接取り付けられる略長方形状のベース部材１０と、ベース部材１０に組み付けられる長方形状のカバー部材２０とを備えている。これらベース部材１０及びカバー部材２０は、共に透明の合成樹脂から形成されている。
【００２１】
まず、カバー部材２０について説明する。
図２に示すように、カバー部材２０は無蓋箱状の本体２１を有し、その内部には、遊技機を制御する電子部品が実装された回路基板６１が螺合固定される。そして、この状態からカバー部材２０をベース部材１０に重合させた状態で、後述する固定部材５０によりこれらを固定することにより、カバー部材２０とベース部材１０との間に形成される収納空間に回路基板６１が封止されるように構成されている。
【００２２】
より詳しくは、カバー部材２０は上下対称かつ左右対称に構成されており、図３（ａ）にその背面図を示すように、本体２１の左右側面に上下方向に等間隔に設けられ外方に延出する複数の補強リブ２２を介して、本体２１の側面に平行に延びる平板状の側壁部材２３が設けられている。そして、隣接する補強リブ２２の間に位置する側壁部材２３の内面からは、本体２１に向かって支持リブ２４が延設されており、その先端に円筒状の筒状部材２５（第１筒状部材）が連設されている。この筒状部材２５は、内部にベース部材１０側に小径化する段差部を有し（後述する）、カバー部材２０において左右対称に４個づつ計８個設けられている。
【００２３】
また、本体２１の上下側面からは、外方に延びるフランジ部２６がそれぞれ設けられ、このフランジ部２６の先端縁には、ベース部材１０との重合方向に延出したカバー側壁部２７が連設されている。そして、このカバー側壁部２７の外面の左右方向に等間隔に設けられ外方に延出する複数の補強リブ２８を介して、本体２１の側面に平行に延びる平板状のガイドリブ２９が設けられている。尚、フランジ部２６には、回路基板６１に設けられたコネクタ群を外部に露出させるための複数のコネクタ窓２６ａが形成されている。
【００２４】
そして、カバー側壁部２７とガイドリブ２９との間には、互いに隣接する一方の補強リブ２８のカバー側壁部２７側から当該カバー側壁部２７に沿って延びる４つの係合部３１（第２係合部）が突設され、隣接する他方の補強リブ２８とこの係合部３１との間に、後述するベース部材１０側の係合部を挿入してスライドさせるための鈎状の開口部３２が形成されている。尚、この係合部３１は、隣接する補強リブ２８に対し一つおきに設けられ、係合部３１が設けられてない補強リブ２８間は、板状の架橋部材３３により閉口されている。
【００２５】
さらに、上述したフランジ部２６は本体２１の左右にも延出し、上記補強リブ２２のうち上下の両端に配置されたものにそれぞれ連設してフランジ部３４を構成する。そして、図２に示すように、この左右に延出した上下のフランジ部３４の部分をそれぞれ架橋する態様で一対の被覆部材３５が装着されている。
【００２６】
これら被覆部材３５は、ベース部材１０側に開口する無蓋箱状に形成され、上記フランジ部３４に対向して立設された二つの支持部３６に挟持される態様で、当該フランジ部３４に螺合固定される。そして、その各々が上記４つの筒状部材２５を被覆してこれらを外部から遮蔽している。
【００２７】
また、図５に図１のＡ−Ａ断面を示すように、被覆部材３５の上壁部３５ａにおいて４つの筒状部材２５に対応する位置には、これら筒状部材２５と同様の形状を有する４つの筒状部３５ｂが重合方向に延設され、これら筒状部３５ｂの孔と対応する筒状部材２５の孔とが連通するように構成されている。そして、固定部材５０が、筒状部材２５の下端に設けられた段差部２５ａにより支持され、筒状部３５ｂと筒状部材２５との間に形成される待機空間に保持されるようになっている。尚、この構成の詳細については後述する。
【００２８】
さらに、被覆部材３５の上壁部３５ａにおいて各固定部材５０に対向する位置には、所定の棒状部材を挿通可能な小孔３５ｃが穿設されており、この小孔３５ｃに棒状部材を挿通して、いずれかの固定部材５０をベース部材１０側へ押圧することができるようになっている。
【００２９】
また、図３（ａ）に示すように、カバー部材２０の本体２１の隅部には、４つのボス３７が設けられており、図２に示すように、このボス３７に回路基板６１が螺合固定される。この際、回路基板６１は、図示しない電子部品群が設けられた側の面がカバー部材２０内を向くように固定される。
【００３０】
尚、回路基板６１をカバー部材２０のボス３７に固定する際には、回路基板６１とカバー部材２０との間に上下一対のコネクタカバー６２が介装される。このコネクタカバー６２は、回路基板６１上に設けられた図示しないコネクタ群の各コネクタの形状に対応した穴６３が形成された枠状部材であり、回路基板６１をカバー部材２０に固定すると、コネクタ群が穴６３及びコネクタ窓２６ａを介してカバー部材２０から露出されるようになっている。
【００３１】
次に、ベース部材１０について説明する。
ベース部材１０は上下対称かつ左右対称に構成されており、図３（ｂ）にその背面図を示すように、無蓋箱状の本体１１の左右側面に上下方向に等間隔に設けられ外方に延出する複数の補強リブ１２を介して、本体１１の側面に平行に延びる平板状の側壁部材１３が設けられいる。そして、隣接する補強リブ１２間の空間に、本体１１の側面から延設された支持リブ１４と側壁部材１３の内面から延設された支持リブ１６とにより筒状部材（第２筒状部材）１５が支持されている。この筒状部材１５は、上記筒状部材２５と同様の形状を有し、ベース部材１０において左右対称に４個づつ計８個設けられている。そして、さらにこれら筒状部材１５の開口部には、図２及び図５（ａ）に示すように、逆止リング１７が同軸状に装着されている。この逆止リング１７は、固定部材５０の後述する逆止片を係止するためのものであり、その外径が筒状部材１５の内径に一致し、内径が筒状部材２５の小径部２５ｂの内径にほぼ一致する筒状体からなる。そして、その一端に設けられたフランジ部１７ａが筒状部材１５の開口部に係止されるようになっている。逆止リング１７は、そのフランジ部１７ａが筒状部材１５に接着又は圧入されて固定される。そして、カバー部材２０が重合した際には、図５に示すように、筒状部材２５と筒状部材１５とが同軸状に配置されるように構成されている。
【００３２】
また、図６（ａ）に図１のＢ−Ｂ断面図を、図６（ｂ）にその分解図を示すように、本体１１の上下のベース側壁部１１ａからは、カバー部材２０の４つの係合部３１にそれぞれ係合可能な４つの鈎状の係合部１８（第１係合部）がカバー部材２０側に向かって突設されている（図２及び図３（ｂ）参照）。この係合部１８は、ベース側壁部１１ａに沿って左右に延びると共にカバー部材２０側に延出した突出部１８ａと、この突出部１８ａの左右方向の一端から内方に延びると共にカバー部材２０側に延出した突出部１８ｂの先端に、これら両突出部の端縁を二辺とする長方形状の小片部１８ｃが連設された形状を有する。この小片部１８ｃは、上記カバー部材２０側の開口部３２に挿通可能な大きさに形成されており、当該係合部１８がカバー部材２０側の係合部３１に沿ってスライドすると、その突出部１８ｂが係合部３１の端縁に当接して係止されるようになっている。
【００３３】
また、図７（ａ）に図６（ａ）のＣ部拡大図を示すように、本体１１のベース側壁部１１ａよりも内側の位置には、４つの係合部１８と対向するように、左右方向に延びる防護リブ１９がカバー部材２０側に突設されており、カバー部材２０がベース部材１０に組み付けられた際には、カバー側壁部２７が係合部１８と防護リブ１９とにより挟持されつつ支持されるようになっている。このため、第三者が外方からカバー側壁部２７を内方に押し込んでカバー部材２０をベース部材１０から脱離させる等の不正行為が有効に防止される。また、防護リブ１９は、カバー側壁部２７に平行に延設されており、カバー部材２０をベース部材１０に組み付ける際にカバー側壁部２７に当接してガイドするようになっている。
【００３４】
また、図７（ａ）から分かるように、前述したカバー部材２０のガイドリブ２９も、係合部３１との間にベース部材１０の係合部１８を挟持しつつこれをガイドする機能を有しており、カバー部材２０をベース部材１０に対して円滑に組み付けられるようになっている。また、このガイドリブ２９とカバー側壁部２７から延設された係合部３１とにより、カバー部材２０の係合部１８を挟持する態様で、カバー部材２０とベース部材１０とが固定されることになるため、第三者が外方からカバー側壁部２７を内方に押し込んでカバー部材２０をベース部材１０から脱離させる等の不正行為が有効に防止される。
【００３５】
次に、固定部材５０について説明する。
固定部材５０は、図４に示すように、下方にやや縮径した円柱状の本体５１の上端部にフランジ状の係止部５２が形成され、その中央から下端にかけて軸線に沿った所定幅のスリット５３が形成されている。このため、固定部材５０の下部はスリット５３の幅方向に所定量弾性変形できるようになっている。また、本体５１の下端には、外径方向に突出した逆止片５４が設けられている。この逆止片５４は、固定部材５０の下端側から上方に向かってその断面が大きくなるテーパ状に形成され、その下端部が挿入部５４ａを、上端部が係止部５４ｂをそれぞれ形成している。従って、固定部材５０が所定の孔に挿入される際には、挿入部５４ａがテーパ状になっていることから孔入口にスムーズに導入され、さらに固定部材５０がその下部で撓みながら孔内にスムーズに挿入される。そして、逆止片５４が孔を貫通すると、固定部材５０の下端部が弾性復帰して係止部５４ｂが係止されるため、固定部材５０を挿入方向とは逆方向に引き抜くことは不可能となる。
【００３６】
また、固定部材５０の上端部には、ワッシャ５５を介してワンウェイねじ５６が螺入されている。このワッシャ５５には、その外径が係止部５２の上端面の外径と同一のものが使用されているため、固定部材５０の係止部５２の表面は、金属部材により覆われるようになっている。尚、このワンウェイねじ５６は、周知のように、締結方向にのみ回動可能に構成されたねじであり、一旦係止部５２に螺入されると、工具を用いてこれをリバースさせることは極めて困難となる。
【００３７】
そして、この固定部材５０は、図５において最も左側の固定部材５０のように、その逆止片５４が筒状部材２５の段差部２５ａに支持され、係止部５２が筒状部３５ｂの内壁に支持される態様で、被覆部材３５と筒状部材２５との間に形成される待機空間に一時的に保持される。尚、カバー部材２０に配置された固定部材５０の全てがこの待機空間に保持されている状態においては、カバー部材２０はベース部材１０に対して固定されないため、そのスライド方向に動作させることが可能である。
【００３８】
次に、基板ケース１の封止方法について説明する。
基板ケース１の封止の際には、まず、上述のように回路基板６１が組み付けられたカバー部材２０を、ベース部材１０に重合させる。この際、カバー部材２０の開口部３２にベース部材１０の小片部１８ｃを突き合わせてその係合部１８を挿入する。そして、カバー部材２０の係合部３１とベース部材１０の係合部１８とを係合させる方向に、カバー部材２０をベース部材１０に対してスライドさせる。
【００３９】
そして、係合部３１の先端がベース部材１０の係合部１８に係止されることにより重合状態となり、この状態から所定の棒状部材をカバー部材２０の小孔３５ｃに挿通し、上述した待機空間にて待機状態にある固定部材５０のいずれかを押圧して、これを筒状部材２５及び筒状部材１５により形成される連通孔内に挿入する。すると、図５において左から２番目の固定部材５０のように、固定部材５０が筒状部材２５の小径部２５ｂと逆止リング１７内部により形成される連通孔内に挿通される。このとき、固定部材５０の逆止片５４が逆止リング１７の端面に、係止部５２が筒状部材２５の段差部２５ａにそれぞれ係止されることにより、固定部材５０がベース部材１０とカバー部材２０とを挟持する態様でこれらを互いに固定して基板ケース１を封止する。このとき、固定部材５０は連通孔に対して遊嵌されているため、自軸周りに回動可能となっている。
【００４０】
尚、この封止作業においては、左右に４対（計８個）配設された固定部材５０のうち、左右対称に配置された一対（２個）が使用されるため、本実施例の場合、パチンコ機の出荷時を含めて計４回の封止が可能となっている。
また、封止状態を解除する際には、このとき用いられた固定部材５０を保持する筒状部材２５の支持リブ２４及び筒状部材１５の支持リブ１４、１６をニッパ等の工具により切断して取り除き、上述した操作を逆に行なえば、カバー部材２０をベース部材１０から離脱させることができる。
【００４１】
そして、このように封止された基板ケース１は、電磁波シールド用（不正行為防止用）の金属板７０を介してパチンコ機の盤面の裏側に装着される。
以上のように、本実施例の基板ケース１においては、ベース部材１０の係合部１８に対向する位置に防護リブ１９が設けられており、これら係合部１８と防護リブとによりカバー側壁部２７を挟持する態様で、カバー部材２０とベース部材１０とが固定されている。また、カバー部材２０の外方に連設されたガイドリブ２９とカバー側壁部２７から延設された係合部３１とによりカバー部材２０の係合部１８を挟持する態様で、カバー部材２０とベース部材１０とが固定されている。
【００４２】
このため、外方からカバー部材２０を押し込むような力が加えられたとしても、防護リブ１９やガイドリブ２９によりカバー部材２０の弾性変形や変動が阻止されるため、第三者が基板ケース１をこじ開ける等の不正行為を有効に防止することができる。
【００４３】
尚、本実施例においては、防護リブ１９及びガイドリブ２９が係合部変動防止手段に該当する。
以上、本発明の実施例について説明したが、本発明の実施の形態は、上記実施例に何ら限定されることなく、本発明の技術的範囲に属する限り種々の形態をとり得ることはいうまでもない。
【００４４】
例えば、図７（ｂ）に示すように、カバー部材２０に、カバー側壁部２７の外方に連設され、係合部１８及び係合部３１を外方から被覆する被覆部３８が設けられた構成を採用してもよい。同図においては、カバー側壁部２７の上部とガイドリブ２９の上端部とを架橋する態様で被覆部３８が設けられている。このような構成をとることにより、塵埃等が係合部につまってカバー部材２０とベース部材１０との再度の組み付けに支障をきたす等の問題を未然に防止することができる。また、このような被覆部３８がカバー側壁部２７を被覆することにより、側圧による変形／変動をより効果的に防止することができる。尚、本構成においては、ガイドリブ２９が被ガイド部に相当する。
【００４５】
また、上記実施例においては、ベース部材１０とカバー部材２０とをスライドさせて接合する構成としたが、このような構成ではなく、例えばベース部材１０及びカバー部材２０の一方の側壁側に、これらベース部材１０とカバー部材２０とを連接して回動可能にならしめる回動軸を設け、この回動軸を中心としてカバー部材２０を回動して接合するように構成を採用してもよい。このような態様にした基板ケースであっても、本発明と同様の効果を奏する。
【図面の簡単な説明】
【図１】  本発明の実施例に係る遊技機の基板ケースの斜視図である。
【図２】  実施例の基板ケースの分解斜視図である。
【図３】  実施例の基板ケースを構成するカバー部材及びベース部材の背面図である。
【図４】  実施例の固定部材を表す説明図である。
【図５】  基板ケースの封止構造を表す説明図である。
【図６】  カバー部材とベース部材との組み付け構造を表す説明図である。
【図７】  図６のＣ部拡大図である。
【図８】  従来の基板ケースの問題点を表す説明図である。
【符号の説明】
１・・・基板ケース、  １０・・・ベース部材、  １１・・・本体、
１１ａ・・・ベース側壁部、  １３・・・側壁部材、  １８・・・係合部、
１９・・・防護リブ、  ２０・・・カバー部材、  ２１・・・本体、
２３・・・側壁部材、  ２７・・・カバー側壁部、  ２９・・・ガイドリブ、
３１・・・係合部、  ３５・・・被覆部材、  ３８・・・被覆部、
５０・・・固定部材
【図１】
0004824159.tif 000002
【図２】
0004824159.tif 000003
【図３】
0004824159.tif 000004
【図４】
0004824159.tif 000005
【図５】
0004824159.tif 000006
【図６】
0004824159.tif 000007
【図７】
0004824159.tif 000008
【図８】
0004824159.tif 000009